(57)【特許請求の範囲】
【請求項１】
受信することが可能な複数の番組に対して全自動録画機能を有し、録画した番組から操作者によって指示された番組を再生する番組録画再生装置であって、
記憶部と、
放送されている複数のチャネルに含まれる複数の番組を受信する複数のチューナと、
前記複数のチューナによって受信された前記複数の番組を前記記憶部に格納する録画部と、
再生部と、
前記再生部によって再生された番組について統計分析を行い、前記統計分析の結果を示す画像を生成して出力する制御部と、
を備え、
前記制御部は、前記統計分析として、所定期間において前記再生部によって再生された番組の一日における放送時間帯ごとの再生された番組数の分布である時間帯別再生パターンを算出する
番組録画再生装置。
【請求項２】
前記制御部は、
算出した前記時間帯別再生パターンに基づいて、前記記憶部に格納できる番組についての録画総日数を増やすこと、及び、録画時の画質を上げることの少なくとも一つを行う録画モードを決定し、
決定した前記録画モードを示すおすすめ画像を生成して出力し、
出力した前記おすすめ画像に対して前記操作者から選択する指示を取得した場合に、当該おすすめ画像が示す前記録画モードで前記録画部が動作するように前記録画部を制御する
請求項１記載の番組録画再生装置。
【請求項３】
前記制御部は、（ａ）一日において録画する総時間帯を減らすこと、及び、（ｂ）録画時の画質を下げることの少なくとも一方を行うことで前記録画総日数を増やす録画モードを決定する
請求項２記載の番組録画再生装置。
【請求項４】
前記制御部は、
一日において録画する総時間帯を減らした場合に、減らした総時間帯において前記再生部によって再生された全ての番組の再生累積時間の、減らす前において前記再生部によって再生された全ての番組の再生累積時間に対する割合であるカバー率が所定値以上であるときに、（ａ）一日において録画する総時間帯を減らし、前記カバー率が所定値未満であるときに、（ｂ）録画時の画質を下げる
請求項３記載の番組録画再生装置。
【請求項５】
受信することが可能な複数の番組に対して全自動録画機能を有し、録画した番組から操作者によって指示された番組を再生する番組録画再生装置であって、
記憶部と、
放送されている複数のチャネルに含まれる複数の番組を受信する複数のチューナと、
前記複数のチューナによって受信された前記複数の番組を前記記憶部に格納する録画部と、
再生部と、
前記再生部によって再生された番組について統計分析を行い、前記統計分析の結果を示す画像を生成して出力する制御部と、
を備え、
前記制御部は、前記統計分析として、所定期間において前記再生部によって再生された番組のジャンルごとの再生時間の分布であるジャンル別再生パターンを算出する
番組録画再生装置。
【請求項６】
前記制御部は、
算出した前記ジャンル別再生パターンに基づいて、再生された前記ジャンルのうち、再生時間の少ないジャンルについて録画時の画質を下げることで、前記記憶部に格納できる番組についての録画総日数を増やす録画モードを決定し、
決定した前記録画モードを示すおすすめ画像を生成して出力し、
出力した前記おすすめ画像に対して前記操作者から選択する指示を取得した場合に、当該おすすめ画像が示す前記録画モードで前記録画部が動作するように前記録画部を制御する
請求項５記載の番組録画再生装置。
【請求項７】
前記制御部は、前記再生時間の少ないジャンルが複数ある場合には、ジャンルに含まれる番組の放送頻度及び画質の少なくとも一つに基づいて予め定められたジャンルごとの優先度に従って、前記画質を下げるジャンルを決定する
請求項６記載の番組録画再生装置。
【請求項８】
前記優先度は、前記ジャンルに含まれる番組の放送頻度が高いほど、前記画質を下げるジャンルとして決定する優先度が高くなるように、設定されている
請求項７記載の番組録画再生装置。
【請求項９】
前記優先度は、前記ジャンルに含まれる番組の画質劣化の目立ちやすさが低いほど、前記画質を下げるジャンルとして決定する優先度が高くなるように、設定されている
請求項７記載の番組録画再生装置。
【請求項１０】
受信することが可能な複数の番組に対して全自動録画機能を有し、録画した番組から操作者によって指示された番組を再生する番組録画再生装置による番組録画再生方法であって、
複数のチューナによって受信された複数の番組を記憶部に格納する録画ステップと、
前記記憶部に格納された前記複数の番組から、前記操作者によって選択された番組を読み出して再生する再生ステップと、
前記再生ステップで再生された番組について統計分析を行い、前記統計分析の結果を示す画像を生成して出力する制御ステップと、
を含み、
前記制御ステップでは、前記統計分析として、所定期間において前記再生ステップで再生した番組の一日における放送時間帯ごとの再生した番組数の分布である時間帯別再生パターンを算出する
番組録画再生方法。
【請求項１１】
受信することが可能な複数の番組に対して全自動録画機能を有し、録画した番組から操作者によって指示された番組を再生する番組録画再生装置による番組録画再生方法であって、
複数のチューナによって受信された複数の番組を記憶部に格納する録画ステップと、
前記記憶部に格納された前記複数の番組から、前記操作者によって選択された番組を読み出して再生する再生ステップと、
前記再生ステップで再生された番組について統計分析を行い、前記統計分析の結果を示す画像を生成して出力する制御ステップと、
を含み、
前記制御ステップでは、前記統計分析として、所定期間において前記再生ステップで再生した番組のジャンルごとの再生時間の分布であるジャンル別再生パターンを算出する
番組録画再生方法。
【発明の詳細な説明】
【技術分野】
【０００１】
本開示は、番組録画再生装置及び番組録画再生方法に関する。
【背景技術】
【０００２】
特許文献１は、放送番組の自動録画装置を開示する。この自動録画装置は、放送される番組情報を提供する番組情報供給手段と、視聴している情報を検出する視聴情報検出手段と、番組情報供給手段及び視聴情報検出手段から視聴番組情報を抽出する視聴番組情報抽出手段と、視聴番組情報抽出手段に基づき録画予約を設定する予約設定手段と、予約設定手段により予約設定された番組を受信し記録する受信記録手段と、を備える。これにより、操作者は、録画予約条件などの入力及び変更の操作を行うことなく、視聴したい番組を自動録画できる。
【先行技術文献】
【特許文献】
【０００３】
【特許文献１】特開２００１−５６９８３号公報
【発明の概要】
【発明が解決しようとする課題】
【０００４】
本開示は、全自動録画機能または全録機能、を有した番組録画再生装置及び番組録画再生方法であって、全自動録画機能または全録機能の対象となる番組を絞り込むことを支援する番組録画再生装置及び番組録画再生方法を提供する。
【０００５】
ここで、全自動録画機能または全録機能、あるいは、全録とは、放送されているまたは送信されている複数の番組（あるいはコンテンツ）のなかで受信することが可能な複数の番組（あるいはコンテンツ）に対して、特定の番組（あるいはコンテンツ）や特定の時間などの操作者の指示を受けなくても複数の番組（あるいはコンテンツ）を特定の時間にわたり録画する機能であり、操作者が毎回録画予約の設定をしなくても、例えば、複数のチャネルにおける放送番組を１日中録画する機能である。
【課題を解決するための手段】
【０００６】
本開示における番組録画再生装置は、受信することが可能な複数の番組に対して全自動録画機能を有し、録画した番組から操作者によって指示された番組を再生する番組録画再生装置であって、記憶部と、放送されている複数のチャネルに含まれる複数の番組を受信する複数のチューナと、複数のチューナによって受信された複数の番組を記憶部に格納する録画部と、再生部と、再生部によって再生された番組について統計分析を行い、統計分析の結果を示す画像を生成して出力する制御部とを備える。
【０００７】
また、本開示における番組録画再生方法は、受信することが可能な複数の番組に対して全自動録画機能を有し、録画した番組から操作者によって指示された番組を再生する番組録画再生装置による番組録画再生方法であって、複数のチューナによって受信された複数の番組を記憶部に格納する録画ステップと、記憶部に格納された複数の番組から、操作者によって選択された番組を読み出して再生する再生ステップと、再生ステップで再生された番組について統計分析を行い、統計分析の結果を示す画像を生成して出力する制御ステップとを含む。
【発明の効果】
【０００８】
本開示における番組録画再生装置及び番組録画再生方法は、全自動録画機能を有した番組録画再生装置及び番組録画再生方法において、全自動録画機能の対象となる番組を絞り込むことを支援するのに有効である。
【図面の簡単な説明】
【０００９】
【図１】本開示に係る番組録画再生装置の構成を示すブロック図
【図２】実施の形態１における操作者に再生された番組の放送時間帯についての統計分析の手順を示すフローチャート
【図３】実施の形態１における放送時間帯ごとの統計分析に使用するオフセット値の一例を示す図
【図４】録画される番組の画質を変更する場合の倍速録画の変更例を示す図
【図５】実施の形態１における現在の録画モード及びおすすめの録画モードの一例を示す図
【図６】実施の形態１における操作者の録画モードの変更手順を示すフローチャート
【図７】統計分析後に操作者へ結果を表示するか否かを確認するための画像の一例を示す図
【図８】実施の形態１における統計分析の結果及びおすすめ画像の一例を示す図
【図９】録画モードを変更するタイミングを確認するための画像の一例を示す図
【図１０】操作者が録画モードを任意に設定する際に表示される画像の一例を示す図
【図１１】実施の形態１における所定の期間ごとに繰り返しおすすめ画像を表示する場合に操作者が行う録画モードの変更手順の一例を示すフローチャート
【図１２】実施の形態２における番組のジャンルごとについての統計分析の手順を示すフローチャート
【図１３】実施の形態２におけるジャンルごとの統計分析に使用する優先度の一例を示す図
【図１４】実施の形態２における操作者の録画モードの変更手順を示すフローチャート
【図１５】実施の形態２における統計分析の結果及びおすすめ画像の一例を示す図
【図１６】実施の形態２における所定の期間ごとに繰り返しおすすめ画像を表示する場合に操作者が行う録画モードの変更手順の一例を示すフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者らは、当業者が本開示を十分に理解するために添付図面および以下の説明を提供するのであって、これらによって特許請求の範囲に記載の主題を限定することを意図するものではない。
【００１２】
（実施の形態１）
以下、図１〜１１を用いて、実施の形態１を説明する。
【００１３】
［１−１．構成］
図１は、本開示に係る番組録画再生装置の構成を示すブロック図である。図１に示されるように、本開示に係る番組録画再生装置１００は、番組を受信するアンテナ１０８とケーブルを介して接続される。また、番組録画再生装置１００は、表示装置２００と、通信ケーブルを介して接続される。表示装置２００は、番組録画再生装置１００から受け取った情報を画像として映し出す表示部２０２と、通信ケーブルが接続される通信インターフェース２０１とを備える。番組録画再生装置１００は、記憶部１０１と、チューナ１０２と、録画部１０３と、再生部１０４と、制御部１０５と、通信インターフェース１０６と、操作部１０７とを備える。
【００１４】
番組録画再生装置１００は、放送されている複数の番組について、操作者の指示を受けなくても録画可能である全録機能を有する。例えば、番組録画再生装置１００は、予め１日に放送される全ての番組において、複数のチャネルを録画させるように設定されている。つまり、番組録画再生装置１００は、操作者による番組録画再生装置１００の電源のＯＮ／ＯＦＦや、全録機能を使用するかどうかなどの指示を除いた、録画設定のための指示をすることなく、録画が実行されるように予め設定されている。操作者は、録画された番組を再生し、視聴する。
【００１５】
記憶部１０１は、録画部１０３から送られた番組を格納する。記憶部１０１は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などで構成される。
【００１６】
チューナ１０２は、アンテナ１０８で受信された番組をチャネルごとに受け取り、復調する。
【００１７】
録画部１０３は、チューナ１０２によって受信された番組において、予め指示された方法に従って記憶部１０１に格納する番組を決定する。録画部１０３は、例えば、ＣＰＵ（Ｃｅｎｔｒａｌ  Ｐｒｏｃｅｓｓｉｎｇ  Ｕｎｉｔ）と記憶部１０１に格納された制御プログラムとによって実現される。ここで、指示された方法とは、録画部１０３が、録画する番組を選択する方法である。
【００１８】
再生部１０４は、操作者によって選択された番組を記憶部１０１から読み出して再生する。再生部１０４は、例えば、ＣＰＵと記憶部１０１に格納された制御プログラムとによって実現される。また、再生部１０４は、記憶部１０１へ再生した番組と、当該番組の再生された再生時間とを記憶するように指示を出す。
【００１９】
通信インターフェース１０６は、番組録画再生装置１００と、通信ケーブルとを接続させる通信アダプタである。
【００２０】
操作部１０７は、操作者の指示を受け取るデバイスである。操作部１０７は、操作者の指示を受け取ることが可能であれば、特に限定されない。操作部１０７は、例えば、リモコンの受信機でもよいし、タッチパネルでもよい。
【００２１】
制御部１０５は、再生部１０４によって再生された番組について統計分析を行い、統計分析の結果を示す画像を生成して出力する処理部である。制御部１０５は、例えば、ＣＰＵと記憶部１０１に格納された制御プログラムとによって実現される。また、制御部１０５は、操作部１０７から指示を受け取り、再生部１０４や録画部１０３などへ操作部１０７から受け取った指示を出す。
【００２２】
次に、制御部１０５が行う統計分析について説明する。
【００２３】
制御部１０５は、操作者により再生された番組の時間帯別再生パターンの統計分析を行う。統計分析は、所定の期間において再生部１０４によって再生された番組の一日における放送時間帯ごとの再生番組数の分布である時間帯別再生パターンを算出する。時間帯とは、予め設定された１日のうちのある時刻Ｔ１からある時刻Ｔ２までの時間のことである。放送時間帯とは、記憶部１０１に番組が格納された時間帯のことである。統計分析に用いられる分析される分析時間帯は、任意に設定されてよく、特に限定されない。例えば、分析時間帯が、１時間ごとに設定された場合、１９時１０分から１９時４０分まで放送された番組は、１９時から２０時の分析時間帯に放送されたとする。また、複数の分析時間帯を通じて放送された場合、番組の放送開始時間を放送された時間帯としてもよいし、番組が放送された全ての時間帯を放送された時間帯としてもよく、特に限定されない。
【００２４】
また、制御部１０５は、算出された時間帯別再生パターンに基づいて、記憶部１０１に格納できる番組についての録画総日数を増やすこと、及び、録画時の画質を上げることの少なくとも一つを行う録画モードを決定する。さらに、制御部１０５は、決定した録画モードを示すおすすめ画像を生成して出力する。制御部１０５は、出力したおすすめ画像に対して操作者から選択する指示を取得した場合、当該おすすめ画像が示す録画モードで録画部１０３が動作するように録画部１０３を制御する。録画総日数を増やすために、制御部１０５は、一日において録画する総時間帯を減らしてもよいし、録画時の画質を下げてもよい。
【００２５】
また、制御部１０５は、選択された総時間帯のカバー率を分析する。ここで、カバー率とは、一日に録画される総時間帯を減らした場合に、減らした総時間帯において再生部１０４によって再生された全ての番組の再生累積時間の、減らす前の総時間帯において再生部１０４によって再生された全ての番組の再生累積時間に対する割合である。制御部１０５は、カバー率が所定値以上であるときに、一日において録画する総時間帯を減らし、カバー率が所定値未満であるときに、録画される番組の画質を下げるように録画部１０３を制御する。
【００２６】
［１−２．動作］
以上のように構成された番組録画再生装置１００について、その動作を以下説明する。
【００２７】
番組録画再生装置１００は、操作者により再生された番組の統計分析と、統計解析結果画像及びおすすめ画像の生成と出力と、所定の期間ごとの統計解析結果画像の生成及び出力との各動作を行う。以下、それぞれの各動作について詳細に説明する。
【００２８】
［１−２−１．操作者により再生された番組の統計分析］
次に、図２〜５を用いて、操作者の時間帯別再生パターンの分析方法を説明する。
【００２９】
図２は、実施の形態１における操作者に再生された番組の放送時間帯についての統計分析の手順を示すフローチャートである。
【００３０】
まず、番組録画再生装置１００は、番組の録画を開始する。記憶部１０１に格納できるデータ容量には限界があるので、容量が限界になった場合は、古い番組から消去し、新しい番組を記憶させる。記憶部１０１に格納できる録画可能な最大の日数が、録画総日数である。操作者は、記憶部１０１に格納された番組を再生し、視聴する。この時、再生部１０４は、操作者により再生された番組を記憶部１０１へ記憶するように指示を出す。
【００３１】
操作者は、番組録画再生装置１００を使用し、記憶部１０１に格納された番組を再生して視聴する。制御部１０５は、操作者によって再生された放送時間帯ごとの再生番組数を記憶部１０１から取得し、時間帯別再生パターンを分析する（Ｓ１００）。なお、制御部１０５が操作者によって番組が再生されたと判断するために、条件が設定されてもよい。例えば、条件は、３０秒以上再生した場合と設定してもよいし、条件は、６０秒以上再生した場合と設定してもよい。次に、制御部１０５は、操作者の再生番組数と、後述するオフセット値とを足し合わせた、分析時間帯ごとのスコア値を算出する。オフセット値は、分析時間帯ごとに予め設定された値である。
【００３２】
次に、制御部１０５は、取得した分析時間帯ごとのスコア値が、最も大きくなる分析時間帯を選択する（Ｓ１０１）。次に、制御部１０５は、選択された分析時間帯のカバー率を分析する（Ｓ１０２）。次に、制御部１０５は、算出されたカバー率が所定の割合以上であるかどうかの判定を行う（Ｓ１０３）。所定の割合は、任意の値でよく、例えば、９０％と設定する。また、作業者は、予め分析時間帯を、例えば、１時間ごととして設定しておく。また、現在の録画モードの録画される総時間帯が２４時間の場合、カバー率が算出される総時間帯は、特に限定されないが、例えば、１６時間と設定しておく。
【００３３】
まず、取得した番組の分析時間帯ごとのスコア値の合計が、最も大きくなる分析時間帯を選択する。例えば、７時から２３時までの１６時間が最もスコア値の合計が高くなったとする。この時、７時から２３時までの１６時間が、カバー率が算出される総時間帯となる。制御部１０５は、７時から２３時までの１６時間の総再生時間に対する０時から２４時までの２４時間の総再生時間の割合、つまり、カバー率が９０％以上かどうかの判定を行う。制御部１０５は、カバー率が９０％以上と判定された場合、７時から２３時までの１６時間の総時間帯を、おすすめの録画モードの総時間帯として設定する。
【００３４】
なお、カバー率を算出するための総時間帯は、上述したように任意に設定されてよく、特に限定されない。カバー率を算出するための総時間帯は、現在の録画される総時間帯に応じて設定されてもよい。例えば、現在の録画される総時間帯が２１時間から２４時間の場合、カバー率を算出するための総時間帯は１６時間と設定されてもよい。また、現在の録画される総時間帯が１５時間から２０時間の場合、カバー率を算出するための総時間帯は１２時間と設定されてもよい。また、現在の録画される総時間帯が１０時間から１４時間の場合、カバー率を算出するための総時間帯は８時間と設定されてもよい。また、現在の録画される総時間帯が７時間から９時間の場合、カバー率を算出するための総時間帯は６時間と設定されてもよい。また、現在の録画される総時間帯が６時間以下の場合、現在の録画モードのから総時間帯を減らす録画モードは、おすすめの録画モードとして設定されなくてもよい。
【００３５】
また、録画される時間帯は１又は複数設定されてよく、特に限定されない。例えば、任意の２時間の時間帯と、任意の１４時間の時間帯とを組み合わせるなど、録画される時間帯を複数設定してもよい。録画される時間帯を複数設定した場合、録画される時間帯は、各時間帯のスコア値の合計が最大となる組み合わせが選択される。スコア値の合計が最大になるパターンが複数存在する場合、例えば、１つ当たりの時間帯が広いパターンが最大になる時間帯が選択されるようにしてもよい。
【００３６】
カバー率が所定の値未満の場合、制御部１０５は、録画時の画質を下げることで、録画総日数を増やす録画モードをおすすめとして判断する（Ｓ１０４）。カバー率が所定の値以上の場合、制御部１０５は、選択された時間帯を録画するように録画部１０３へ指示を出す。また、制御部１０５は、録画される画質を現在の設定よりも上げる録画モードと、録画される画質を現在の設定から変更しない録画モードとの２つの録画モードをおすすめとして判断する（Ｓ１０５）。
【００３７】
なお、画質の決定方法は、任意に設定されてよく、特に限定されない。例えば、おすすめの録画モードにおいて画質を上げる場合、現在の録画モードの録画の倍速に対して０．７５倍した録画の倍速をおすすめの録画モードの画質としてもよい。また、例えば、おすすめの録画モードにおいて画質を下げる場合、現在の録画モードの録画の倍速に対して１．５倍した録画の倍速をおすすめの録画モードの画質としてもよい。
【００３８】
また、カバー率が所定の値未満の場合において、現在の録画モードの録画される総時間帯が７時間以上であり、かつ、現在の録画モードの画質が１５倍速録画のとき、制御部１０５は録画される総時間帯を減らす録画モードをおすすめとして選択してもよい。また、現在の録画モードの録画される総時間帯が６時間以下であり、かつ、現在の録画モードの画質が１５倍速録画のとき、制御部１０５は、おすすめの録画モードを設定しなくてもよい。
【００３９】
また、制御部１０５は、録画される画質を現在の設定よりも上げるおすすめの録画モードにおいて、現在の録画モードから画質を変更しない録画モードとは別に、録画される総時間帯を設定してもよい。例えば、おすすめとして設定される録画モードの録画される総時間帯は、（現在の録画モードの総時間帯）÷（現在の録画モードの録画の倍速）×（画質を上げた場合の録画モードの録画の倍速)で算出される。画質を上げた場合の録画モードの録画の倍速は、任意に設定されてよく、特に限定されない。例えば、おすすめの録画モードにおいて画質を上げる場合、現在の録画モードの録画の倍速に対して０．７５倍した録画の倍速をおすすめの録画モードの画質とする。
【００４０】
上述した式の計算結果が、１６時間以上の場合、おすすめとして設定される録画モードの録画される総時間帯は１６時間と設定されてもよい。また、上述した計算結果が、１２時間から１５時間の場合、おすすめとして設定される録画モードの録画される総時間帯は、１２時間と設定されてもよい。また、上述した計算結果が、８時間から１１時間の場合、おすすめとして設定される録画モードの録画される総時間帯は、８時間と設定されてもよい。また、上述した計算結果が、７時間以下の場合、おすすめとして設定される録画モードの録画される総時間帯は、６時間と設定されてもよい。こうすることで、録画される画質を現在の設定よりも上げるおすすめの録画モードにおいて、制御部１０５は、操作者の再生パターンにあった録画モードを操作者へ提案することが可能となる。
【００４１】
最後に、制御部１０５は、統計分析した時間帯別再生パターンの分布を示す画像と、おすすめとして判断した録画モードの設定内容を反映した画像とを生成して出力する（Ｓ１０６）。おすすめの録画モードが設定されない場合、制御部１０５は、操作者の時間帯別再生パターンのみを示す画像を生成し、出力してもよい。こうすることで、番組録画再生装置１００は、全録の対象となる番組を絞り込むことが可能となる。そのため、操作者は、再生された番組の放送時間帯ごとの再生パターンを確認することが可能となる。また、操作者は、操作者自身の再生パターンにあわせて録画する番組を容易に絞り込むことが可能となる。また、操作者がおすすめを選択した場合、制御部１０５は、録画部１０３に指示を出し、録画モードの変更を行う。こうすることで、操作者は、操作者自身の好みに合った録画モードを選択するだけで、録画モードを容易に変更することが可能となる。
【００４２】
次に、スコア値を算出する際に用いたオフセット値の説明を行う。
【００４３】
図３は、実施の形態１における放送時間帯ごとの統計分析に使用するオフセット値の一例を示す図である。オフセット値は、時間帯ごとに予め設定された値である。オフセット値は、例えば、時間帯ごとの番組の一般的な視聴回数から設定される。番組の分析時間帯の設定は、任意に設定されてよく、例えば、１時間ごとに設定する。図３に示されるように、例えば、１９時００分から１９時５９分までの間の時間帯は、オフセット値を０．００２３とする。スコア値は、時間帯ごとの操作者の視聴回数とオフセット値との足し合わせにより算出される。こうすることで、一般的な視聴回数の多い時間帯がおすすめとして選択されやすいようになる。
【００４４】
次に、おすすめの画質を決定する方法を説明する。
【００４５】
図４は、録画される番組の画質を変更する場合の倍速録画の変更例を示す図である。画質は、録画される倍速により決定される。画質は、倍速録画の数値が大きいほど画質が低く、倍速録画の数値が小さいほど画質が高い。図４に示されるように、現在の画質に対応した、おすすめの画質を予め定めておく。例えば、現在の録画モードの画質が４倍速録画の場合、画質を下げる録画モードがおすすめとして選択された場合は、６倍速録画が設定され、画質を上げる録画モードがおすすめとして選択された場合は、３倍速録画が設定される。
【００４６】
まず、記憶部１０１は、図４に示される対応表を記憶しておく。現在の録画モードから録画される画質が変更される場合、制御部１０５は、現在の録画モードの画質に対応したおすすめの画質を記憶部１０１から取得する。次に、制御部１０５は、録画部１０３へ取得した画質の録画モードに変更する指示を出す。なお、現在の録画モードがすでに高画質である場合、つまり、現在の録画モードよりも画質が高い状態で録画できない場合、制御部１０５は、画質を上げる録画モードをおすすめとして選択しなくてもよい。例えば、現在の画質が２倍速録画よりも高い画質の設定である場合、統計分析の結果が画質を上げる録画モードになったとしても、画質を上げる録画モードをおすすめとして選択しないように設定されてもよい。
【００４７】
なお、画質の決定方法は、任意に設定されてよく、特に限定されない。おすすめの画質の決定方法は、対応表を予め記憶部１０１に格納し、対応表から決定されてもよいし、現在の録画モードの録画の倍速に応じて所定の計算式により算出されてもよい。例えば、画質を上げる録画モードがおすすめとして設定された場合、現在の録画モードの録画の倍速に対して０．７５倍した録画の倍速をおすすめの録画モードの画質としてもよい。また、例えば、おすすめの録画モードにおいて画質を下げる場合、現在の録画モードの録画の倍速に対して１．５倍した録画の倍速をおすすめの録画モードの画質としてもよい。
【００４８】
次に、おすすめの録画時間と画質と録画総日数の具体例を説明する。
【００４９】
図５は、実施の形態１における現在の録画モード及びおすすめの録画モードの一例を示す図である。図５に示されるように、現在の録画モードによって、おすすめに選択された録画モードが決定される。図５の（ａ）は、現在の録画モードが１日当たり２４時間録画であり、かつ、４倍速録画であり、かつ、録画総日数が７日間である場合の、各録画モードへ変更する場合のおすすめの録画モードである。記憶部１０１で記憶可能な録画総日数は、１日当たりの録画時間と、録画される画質と、記憶部１０１の記憶容量と、から算出される。例えば、おすすめの録画モードが、録画される時間帯を短縮し、かつ、画質を上げる録画モードに選択された場合、おすすめの録画モードは、１日当たりの録画時間は１６時間、かつ、画質は３倍速録画、かつ、録画総日数は８日となるように設定される。図５の（ｂ）は、現在の録画モードが１日当たり１６時間録画であり、かつ、４倍速録画であり、かつ、録画総日数が１０日間である場合の、各録画モードへ変更する場合のおすすめの録画モードである。例えば、おすすめの録画モードが、画質を下げる録画モードに選択された場合、おすすめの録画モードは、１日当たりの録画時間は１６時間、かつ、画質は６倍速録画、かつ、録画総日数は１５日となるように設定される。
【００５０】
［１−２−２．統計解析結果画像及びおすすめ画像の生成及び出力］
次に、図６〜図１０を用いて、制御部１０５が上述した統計分析結果及びおすすめの録画モードを生成して出力し、操作者が録画モードを変更するまでの手順を説明する。
【００５１】
図６は、実施の形態１における操作者の録画モードの変更手順を示すフローチャートである。図７は、統計分析後に操作者へ結果を表示するか否かを確認するための画像の一例を示す図である。図８は、実施の形態１における統計分析の結果及びおすすめ画像の一例を示す図である。図９は、録画モードを変更するタイミングを確認するための画像の一例を示す図である。図１０は、操作者が録画モードを任意に設定する際に表示される画像の一例を示す図である。
【００５２】
まず、記憶部１０１は、再生部１０４で再生された番組の分析時間帯ごとの再生番組数を記憶する。制御部１０５は、記憶部１０１に記憶された再生番組数を取得し、時間帯別再生パターンを分析する。分析結果をより正確にするために、分析時間帯ごとの再生番組数の統計分析は、予め設定された条件で行われる。制御部１０５は、予め設定された条件を満たした場合、統計分析を開始する。
【００５３】
ここで、予め設定された条件とは、制御部１０５が統計分析するために必要な再生番組数を取得できればよく、特に限定されない。予め設定された条件は、再生番組数で設定されてもよい。例えば、再生番組数が２０以上あった場合と設定されてもよいし、再生番組数が３０以上あった場合と設定されてもよい。
【００５４】
また、予め設定された条件は、総再生時間で設定されてもよい。例えば、総再生時間が２０時間以上あった場合と設定されてもよいし、総再生時間が３０時間以上あった場合と設定されてもよい。
【００５５】
また、予め設定された条件は、操作者が番組録画再生装置１００を利用した期間で設定されてもよい。例えば、操作者が番組録画再生装置１００を利用し始めてから１カ月経過後と設定されてもよいし、操作者が番組録画再生装置１００を利用し始めてから３カ月経過後と設定されてもよい。
【００５６】
図６に示されるように、まず、制御部１０５は、お知らせ画像３００（図７参照）を生成して出力する（Ｓ２００）。なお、お知らせ画像３００を生成して出力する時期は、特に限定されないが、例えば、統計分析が終了した後すぐでもよいし、統計分析が終了した次の月の初めでもよい。また、お知らせ画像３００を出力するタイミングは、特に限定されないが、例えば、表示装置２００の電源を入れた時に自動で表示されるようにしてもよいし、操作者が、番組録画再生装置１００を利用したタイミングでもよい。
【００５７】
制御部１０５は、操作者がおすすめ画像を表示させる選択をした場合、時間帯分析結果及びおすすめの録画モードが表示された時間帯別おすすめ画像４００（図８参照）を生成して出力する（Ｓ２０１）。制御部１０５は、操作者がおすすめの録画モードを選択した場合、いつ録画モードを変更するかの確認を行うタイミング確認画像５００（図９参照）を生成して出力する（Ｓ２０２）。操作者は、録画モードを変更するタイミングを決定し、録画モードの変更を終了する。こうすることで、操作者は、操作者自身の再生パターンにあわせて録画する番組を絞り込んだ録画モードに容易に変更することが可能となる。また、操作者は、操作者自身の好みに合った録画モードを選択するだけで、録画モードを容易に変更することが可能となる。
【００５８】
また、操作者は、録画モードを詳細に変更したい場合、録画モードを詳細に変更するお好み録画モード画像４０４を選択する。制御部１０５は、操作者がお好み録画モード画像４０４を選択した場合、詳細設定画像６００（図１０参照）を生成し、出力する（Ｓ２０３）。操作者は、録画モードの詳細な設定を行う。制御部１０５は、操作者が録画設定を終了した後、タイミング確認画像５００を生成して出力する（Ｓ２０２）。
【００５９】
なお、録画モードの設定が終了したあと、制御部１０５は、番組を視聴する画面を表示するようにしてもよいし、お知らせ画像３００が表示される前に表示されていた画像を表示するようにしてもよく、特に限定されない。また、お知らせ画像３００や、時間帯別おすすめ画像４００などの制御部１０５で生成された画像は、元々表示されていた画像から切り替わって表示されてもよいし、元々表示されていた画像上に部分的に表示されるようにしてもよく、特に限定されない。
【００６０】
以上が、実施の形態１における、制御部１０５が統計分析結果及びおすすめの録画モードを生成して出力し、操作者が録画モードを変更するまで手順である。
【００６１】
次に、図６のＳ２００で表示されるお知らせ画像３００について説明する。
【００６２】
お知らせ画像３００は、操作者に統計分析が終了したことと、当該統計分析結果を確認するかどうかを操作者に確認するための画像である。図７に示されるように、お知らせ画像３００は、おすすめ表示画像３０１と、おすすめ非表示画像３０２と、終了画像３０３とを備える。
【００６３】
おすすめ表示画像３０１は、操作者が統計分析結果及びおすすめの録画モードを確認する場合に選択する画像である。
【００６４】
おすすめ非表示画像３０２は、操作者が統計分析結果及びおすすめの録画モードをすぐには確認しない場合に選択する画像である。
【００６５】
終了画像３０３は、操作者が統計分析結果及びおすすめの録画モードを今後表示する必要がない場合に選択する画像である。
【００６６】
次に、図６のＳ２０１で表示される時間帯別おすすめ画像４００について説明する。
【００６７】
時間帯別おすすめ画像４００は、操作者の時間帯別再生パターン及びおすすめの録画モードの録画設定の内容を表示するための画像である。図８に示されるように、時間帯別おすすめ画像４００は、分析結果画像４０１と、現在の録画モード画像４０２と、おすすめ録画モード画像４０３ａ、４０３ｂと、お好み録画モード画像４０４とを備える。
【００６８】
分析結果画像４０１は、操作者の時間帯別再生パターンを示す画像である。録画される総時間帯を変更する録画モードがおすすめとして選択された場合、制御部１０５は、録画される時間帯と録画されない時間帯とを区別できるように表示した画像を生成し、出力してもよい。なお、分析結果画像４０１は、操作者の時間帯別再生パターンを表示する画像であり、表示方法は特に限定されない。例えば、縦軸を再生番組数、横軸を時間帯とした棒グラフとして表示されてもよいし、全再生番組の時間帯ごとの円グラフとして表示されてもよい。
【００６９】
現在の録画モード画像４０２は、現在の録画モードの録画設定を表示する画像である。図８に示されるように、現在の録画モード画像には、例えば、１日当たりに録画される総時間帯と、画質と、録画総日数とが表示される。操作者は、録画モードを現在の録画モードから変更しない場合、現在の録画モード画像４０２を選択する。
【００７０】
おすすめ録画モード画像４０３a、４０３ｂは、統計分析により選択されたおすすめの録画モードの録画設定を表示する画像であり、１又は複数表示される。図８に示されるように、おすすめ録画モード画像４０３ａ、４０３ｂには、例えば、１日当たりに録画される総時間帯と、画質と、録画総日数とが表示される。操作者は、録画モードをおすすめの録画モードに変更する場合、おすすめ録画モード画像４０３ａ又はおすすめ録画モード画像４０３ｂを選択する。
【００７１】
お好み録画モード画像４０４は、操作者が録画設定を詳細に変更する場合に選択される画像である。
【００７２】
次に、図６のＳ２０２で表示されるタイミング確認画像５００について説明をする。タイミング確認画像５００は、操作者が録画モードを変更する際に、いつ録画モードを変更するかの確認を行う画像である。図９に示されるように、タイミング確認画像５００は、タイミング選択画像５０１ａ、５０１ｂを備える。
【００７３】
タイミング選択画像５０１ａは、現在行っている録画を中断して、今すぐ選択した録画モードを反映する場合に選択される。
【００７４】
タイミング選択画像５０１ｂは、録画モードの選択した後、所定の時間をおいたあとで反映する場合に選択される。所定の時間は、予め設定されていてもよいし、操作者が選択できるようにされていてもよい。また、録画モードは、次に録画される番組の録画開始のタイミングで反映されてもよい。
【００７５】
次に、図６のＳ２０３で表示される詳細設定画像６００について説明する。
【００７６】
図１０に示されるように、詳細設定画像６００は、操作者が録画設定を詳細に設定する場合に表示される画像である。詳細設定画像６００は、操作者がお好み録画モード画像４０４を選択した際に表示される。詳細設定画像６００は、時間帯設定画像６０１と、画質設定画像６０２と、設定終了画像６０３とを備える。
【００７７】
時間帯設定画像６０１は、操作者が録画する時間帯を設定する画像である。時間帯は、１日当たりに録画される時間を入力することで自動的に録画時間帯が設定されるようにしてもよいし、より詳細に録画される時間帯を設定できるようにしてもよい。
【００７８】
画質設定画像６０２は、操作者が録画される番組の画質を設定する画像である。
【００７９】
設定終了画像６０３は、操作者が録画設定を終了する際に選択する画像である。
【００８０】
［１−２−３．所定の期間ごとの統計解析結果画像の生成及び出力］
次に、所定の期間ごとに繰り返し統計分析の結果の表示とおすすめの録画モードの表示がされる手順について説明する。
【００８１】
図１１は、実施の形態１における所定の期間ごとに繰り返しおすすめ画像を表示する場合に操作者が行う録画モードの変更手順の一例を示すフローチャートである。まず、操作者は、番組録画再生装置１００の利用を開始する。制御部１０５は、操作者が番組録画再生装置１００の利用を開始し始めてから１ヵ月後に、お知らせ画像３００を生成して出力する（Ｓ３００）。操作者は、図６に示すフローチャートに従って、録画モードの変更の操作を行う。操作者がおすすめの録画モードを選択した場合、制御部１０５は、録画部１０３へ録画モードを変更するように指示を出す。
【００８２】
次に、録画モードの変更から１ヶ月後に、制御部１０５は、再度お知らせ画像３００を生成して出力する（Ｓ３０１）。操作者は、図６に示すフローチャートに従って、録画モードの変更の操作を行う。なお、録画時間帯が現在の録画モードより短縮出来ない場合や、現在の録画モードより画質を下げることが出来ない場合など、おすすめの録画モードがない場合、制御部１０５は、操作者の時間帯別再生パターンのみの画像を生成し、出力してもよい。また、制御部１０５が１か月ごとにお知らせ画像３００を生成して出力すると説明をしたが、お知らせ画像３００が表示される期間は、特に限定されない。お知らせ画像３００が表示される期間は、２か月ごとでもよいし、３カ月ごとでもよい。
【００８３】
［１−３．効果等］
以上のように、本実施の形態において、番組録画再生装置１００は、受信することが可能な複数の番組に対して全自動録画機能を有し、録画した番組から操作者によって指示された番組を再生する番組録画再生装置１００であって、記憶部１０１と、放送されている複数のチャネルに含まれる複数の番組を受信する複数のチューナ１０２と、複数のチューナ１０２によって受信された複数の番組を記憶部１０１に格納する録画部１０３と、再生部１０４と、再生部１０４によって再生された番組について統計分析を行い、統計分析の結果を示す画像を生成して出力する制御部１０５とを備える。
【００８４】
これにより、番組録画再生装置１００は、全録機能の対象となる番組を絞り込むことが可能となる。そのため、操作者は、操作者自身の再生パターンにあわせて録画する番組を絞り込んだ録画モードに容易に変更することが可能となる。
【００８５】
また、本実施の形態において、制御部１０５は、統計分析として、所定期間において再生部１０４によって再生された番組の一日における放送時間帯ごとの再生された番組数の分布である時間帯別再生パターンを算出する。
【００８６】
これにより、操作者は、再生された番組の放送時間帯ごとの再生パターンを確認することが可能となる。そのため、操作者は、操作者自身の再生パターンにあわせて録画する番組を絞り込んだ録画モードに容易に変更することが可能となる。
【００８７】
また、本実施の形態において、制御部１０５は、算出した時間帯別再生パターンに基づいて、記憶部１０１に格納できる番組についての録画総日数を増やすこと、及び、録画時の画質を上げることの少なくとも一つを行う録画モードを決定し、決定した録画モードを示すおすすめ画像を生成して出力し、出力したおすすめ画像に対して操作者から選択する指示を取得した場合に、当該おすすめ画像が示す録画モードで録画部１０３が動作するように録画部１０３を制御する。
【００８８】
これにより、操作者は、操作者自身の好みに合った録画モードを選択するだけで、録画モードを容易に変更することが可能となる。
【００８９】
また、本実施の形態において、制御部１０５は、（ａ）一日において録画する総時間帯を減らすこと、及び、（ｂ）録画時の画質を下げることの少なくとも一方を行うことで録画総日数を増やす録画モードを決定する。
【００９０】
これにより、操作者は、録画総日数を増やすような録画モードに容易に変更することが可能となる。
【００９１】
また、本実施の形態において、制御部１０５は、一日において録画する総時間帯を減らした場合に、減らした総時間帯において再生部１０４によって再生された全ての番組の再生累積時間の、減らす前において前記再生部によって再生された全ての番組の再生累積時間に対する割合であるカバー率が所定値以上であるときに、（ａ）一日において録画する総時間帯を減らし、前記カバー率が所定値未満であるときに、（ｂ）録画時の画質を下げる。
【００９２】
これにより、制御部１０５は、操作者の再生パターンにあった録画モードを操作者へ提案することが可能となる。
【００９３】
また、本実施の形態において、番組録画再生方法は、受信することが可能な複数の番組に対して全自動録画機能を有し、録画した番組から操作者によって指示された番組を再生する番組録画再生装置１００による番組録画再生方法であって、複数のチューナ１０２によって受信された複数の番組を記憶部１０１に格納する録画ステップと、記憶部１０１に格納された複数の番組から、操作者によって選択された番組を読み出して再生する再生ステップと、再生ステップで再生された番組について統計分析を行い、統計分析の結果を示す画像を生成して出力する制御ステップとを含む。
【００９４】
これにより、操作者は、再生された番組の再生パターンを容易に確認することが可能となる。そのため、操作者は、操作者自身の再生パターンにあわせて録画する番組を絞り込んだ録画モードに容易に変更することが可能となる。
【００９５】
（実施の形態２）
以下、図１２〜１６を用いて、実施の形態２を説明する。
【００９６】
［２−１．構成］
実施の形態２における、番組録画再生装置１００は、図１に示されるように、番組を受信するアンテナ１０８とケーブルを介して接続される。また、番組録画再生装置１００は、表示装置２００と、通信ケーブルを介して接続される。表示装置２００は、番組録画再生装置１００から受け取った情報を画像として映し出す表示部２０２と、通信ケーブルが接続される通信インターフェース２０１とを備える。番組録画再生装置１００は、記憶部１０１と、チューナ１０２と、録画部１０３と、再生部１０４と、制御部１０５と、通信インターフェース１０６と、操作部１０７とを備える。
【００９７】
実施の形態２において、制御部１０５は、さらに再生部１０４によって再生された番組のジャンルごとの再生時間の分布であるジャンル別再生パターンを算出する。制御部１０５は、算出したジャンル別再生パターンに基づいて、再生されたジャンルのうち、再生時間の少ないジャンルについて録画される画質を下げる録画モードをおすすめの録画モードとして設定する。こうすることで、制御部１０５は、記憶部１０１に格納できる録画総日数を増やすような録画モードを設定する。
【００９８】
さらに、制御部１０５は、決定した録画モードを示すジャンル別のおすすめ画像を生成して出力する。制御部１０５は、出力したおすすめ画像に対して操作者から選択する指示を取得した場合に、当該おすすめ画像が示す録画モードで録画部１０３が動作するように録画部１０３を制御する。
【００９９】
また、制御部１０５は、再生時間の少ないジャンルが複数ある場合、ジャンルに含まれる番組の放送頻度及び画質の少なくとも一つに基づいて予め定められたジャンルごとの優先度に従って、画質を下げるジャンルを決定する。ここで、番組の放送頻度とは、所定の期間中に放送される番組の回数及び／又は放送時間を示す。所定の期間は、特に限定されないが、１日でもよいし、１週間でもよい。
【０１００】
また、優先度は、放送頻度と、画質とで決定される。優先度は、ジャンルに含まれる番組の放送頻度が高いほど、画質を下げるジャンルとして決定する優先度が高くなるように、設定される。また、例えばニュースなど画質劣化が目立ちにくいジャンルは、前記画質を下げるジャンルとして決定する優先度が高くなるように設定される。
【０１０１】
［２−２．動作］
以上のように構成された番組録画再生装置１００について、その動作を以下説明する。番組録画再生装置１００は、操作者により再生された番組の統計分析と、統計解析結果画像及びおすすめ画像の生成及び出力と、所定の期間ごとの統計解析結果画像の生成及び出力との各動作を行う。以下、それぞれの各動作について詳細に説明する。
【０１０２】
［２−２−１．操作者により再生された番組の統計分析］
次に、図１２及び図１３を用いて、操作者のジャンル別再生パターンの分析方法を説明する。
【０１０３】
図１２は、実施の形態２における、番組のジャンルごとについての統計分析の手順を示すフローチャートである。図１３は、実施の形態２における、ジャンルごとの統計分析に使用する優先度の一例を示す図である。
【０１０４】
図１２に示されるように、制御部１０５は、記憶部１０１に記憶された、操作者に再生された番組のジャンルごとの再生時間を取得し、操作者の再生パターンを分析する（Ｓ４００）。次に、制御部１０５は、取得した番組において、再生時間が少ないジャンルの数を分析する（Ｓ４０１）。
【０１０５】
再生時間が少ないジャンルが複数ある場合、制御部１０５は、その中から図１１に示されるジャンルごとの優先度に従って１又は複数のジャンルを選択する（Ｓ４０２）。再生時間が少ないジャンルが一つの場合、制御部１０５は、そのジャンルを選択する（Ｓ４０３）。再生時間が少ないジャンルを選択する方法は、特に限定されないが、例えば、所定の再生時間以下のジャンルの中から選択されてもよいし、全ジャンルに対する再生時間の比率が所定の比率以下であるジャンルの中から選択されてもよい。
【０１０６】
次に、制御部１０５は、選択された１又は複数のジャンルの画質を分析する（Ｓ４０４）。変更される画質の設定は、録画総日数が増えればよく、特に限定されない。画質の設定は、例えば、実施の形態１における、画質を下げる録画モードと同様の方法で変更されてもよい。
【０１０７】
最後に、制御部１０５は、分析した操作者の再生パターンの分布を示す画像及びおすすめとして判断した録画モードの設定内容を反映した画像を生成し、出力する（Ｓ４０５）。操作者が、おすすめの録画モードを選択した場合、制御部１０５は録画部１０３に指示を出し、録画モードの変更を行う。こうすることで、操作者は、再生された番組のジャンルごとの再生パターンを確認することが可能となる。そのため、操作者は、操作者自身の再生パターンにあわせて録画する番組を容易に絞り込むことが可能となる。また、操作者は、操作者自身の好みに合った録画モードを選択するだけで、録画モードを容易に変更することが可能となる。
【０１０８】
次に、ジャンルごとについての統計分析に使用される優先度について説明する。
【０１０９】
図１３に示されるように、記憶部１０１は、ジャンルごとの統計分析に使用する優先度を予め記憶しておく。図１３は、例えば、ニュースの優先度は３であり、スポーツの優先度は４である、と解釈される。また、図１３は、ニュースの優先度はスポーツの優先度より高い、と解釈される。優先度は、番組放送頻度とジャンルごとに設定された録画される画質とで設定される。つまり、優先度は、ジャンルに含まれる番組の放送頻度が高いほど、画質を下げるジャンルとして決定する優先度が高くなるように、設定される。また、例えばニュースなど画質劣化が目立ちにくいジャンルは、前記画質を下げるジャンルとして決定する優先度が高くなるように、設定される。
【０１１０】
次に、優先度の計算方法の一例を示す。
【０１１１】
まず、制御部１０５は、ジャンルごとに１日当たりの放送頻度を取得する。放送頻度は、１日あたりに放送される番組放送時間から決定される。次に、制御部１０５は、ジャンルごとに放送頻度が高いほど大きい値になるように数値Ａを与える。また、制御部１０５は、画質劣化の目立ちやすいジャンルほど小さい値になるように数値Ｂを与える。つまり、ジャンルごとに数値Ａと数値Ｂとが与えられる。次に、制御部１０５は、ジャンルごとに数値Ａと数値Ｂとを足し合わせた数値Ｃを算出する。最後に、制御部１０５は、ジャンルごとに数値Ｃが大きい順番に優先度をつけ、画質を下げるジャンルに選択される優先順位を決定する。
【０１１２】
こうすることで、制御部１０５は、操作者の再生パターンにあった録画モードを操作者へ提案することが可能となる。
【０１１３】
［２−２−２．統計解析結果画像及びおすすめ画像の生成及び出力］
次に、図７と、図９と、図１０と、図１４と、図１５とを用いて、制御部１０５が上述した統計分析結果及びおすすめの録画モードを生成して出力し、操作者が録画モードを変更するまでの手順を説明する。
【０１１４】
図１４は、実施の形態２における操作者の録画モードの変更手順を示すフローチャートである。図１５は、実施の形態２における統計分析の結果及びおすすめ画像の一例を示す図である。
【０１１５】
図１４に示されるように、まず、制御部１０５は、お知らせ画像３００（図７参照）を生成して出力する（Ｓ５００）。制御部１０５は、操作者がおすすめ画像を表示させる選択をした場合、ジャンル別分析結果及びおすすめの録画モードが表示されたジャンル別おすすめ画像７００（図１５参照）を生成して出力する（Ｓ５０１）。
【０１１６】
制御部１０５は、操作者がおすすめの録画モードを選択した場合、いつ録画モードを変更するかの確認を行うタイミング確認画像５００（図９参照）を生成して出力する（Ｓ５０２）。操作者は、録画モードを変更するタイミングを決定し、録画モードの変更を終了する。こうすることで、操作者は、再生された番組の再生パターンを確認することが可能となる。そのため、操作者は、操作者自身の再生パターンにあわせて録画する番組を絞り込んだ録画モードに容易に変更することが可能となる。また、操作者は、操作者自身の好みに合った録画モードを選択するだけで、録画モードを容易に変更することが可能となる。
【０１１７】
また、操作者は、録画モードを詳細に変更したい場合、お好み録画モード画像７０４を選択する。制御部１０５は、操作者がお好み録画モード画像７０４を選択した場合、詳細設定画像６００（図１０参照）を生成して出力する（Ｓ５０３）。操作者は、録画モードの詳細な設定を行う。制御部１０５は、操作者が録画モードの詳細な設定を終了した後、タイミング確認画像５００を生成して出力する（Ｓ５０２）。
【０１１８】
以上が、実施の形態２における、制御部１０５が統計分析結果及びおすすめの録画モードを表示し、操作者が録画モードを変更するまでの手順である。
【０１１９】
次に、図１４のＳ５０１で表示されるジャンル別おすすめ画像７００について説明する。
【０１２０】
ジャンル別おすすめ画像７００は、操作者のジャンル別再生パターン及びおすすめの録画モードの録画設定内容を表示するための画像である。図１５に示されるように、ジャンル別おすすめ画像７００は、分析結果画像７０１と、現在の録画モード画像７０２と、おすすめ録画モード画像７０３と、お好み録画モード画像７０４とを備える。
【０１２１】
分析結果画像７０１は、操作者のジャンル別再生パターンを示す画像である。分析結果画像７０１は、操作者のジャンル別再生パターンを表示する画像であればよく、表示方法は特に限定されない。例えば、全再生時間に対するジャンルごとの再生時間の比率を円グラフとして表示されてもよいし、縦軸を再生時間、横軸をジャンルとした棒グラフとして表示されてもよい。
【０１２２】
現在の録画モード画像７０２は、現在の録画モードを表示する画像である。操作者は、録画モードを現在の設定から変更しない場合、現在の録画モード画像７０２を選択する。
【０１２３】
おすすめ録画モード画像７０３は、統計分析により選択された録画モードを表示する画像であり、１又は複数表示される。図１５に示されるように、おすすめ録画モード画像７０３には、例えば、選択されたジャンルの録画モードの変更後の画質が表示される。選択されたジャンルは、おすすめ録画モード画像７０３に表示されてもよいし、分析結果画像７０１に表示されてもよい。操作者は、録画モードをおすすめの録画モードに変更したい場合、おすすめ録画モード画像７０３を選択する。
【０１２４】
お好み録画モード画像７０４は、操作者が録画モードを詳細に変更する場合に選択される画像である。
【０１２５】
［２−２−３．所定の期間ごとの統計解析結果画像の生成及び出力］
次に、所定の期間ごとに繰り返し統計分析の結果の表示とおすすめの録画モードの表示がされる場合の手順について説明する。
【０１２６】
図１６は、実施の形態２における所定の期間ごとに繰り返しおすすめ画像を表示する場合に操作者が行う録画モードの変更手順の一例を示すフローチャートである。まず、操作者は、番組録画再生装置１００の利用を開始する。制御部１０５は、操作者が番組録画再生装置１００の利用を開始し始めてから１ヵ月後に、お知らせ画像３００を生成して出力する（Ｓ６００）。操作者は、図６に示すフローチャートに従って、録画モードの変更の操作を行う。操作者がおすすめの録画モードを選択した場合、制御部１０５は、録画部１０３へ録画モードを変更するように指示を出す。
【０１２７】
次に、録画モードの変更から１ヶ月後に、制御部１０５は、再度お知らせ画像３００を生成して出力する（Ｓ６０１）。操作者は、図６に示すフローチャートに従って、録画モードの変更の操作を行う。さらに、Ｓ６０１の１ヶ月後に、制御部１０５は、再度お知らせ画像３００を生成して出力する（Ｓ６０２）。操作者は、図１４に示すフローチャートに従って、録画モードの変更の操作を行う。
【０１２８】
また、Ｓ６００において、操作者がおすすめの録画モードを選択しなかった場合、お知らせ画像３００が出力された１ヵ月後に、制御部１０５は、再度お知らせ画像３００を生成して出力する（Ｓ６０３）。操作者は、図１４に示すフローチャートに従って、録画モードの変更の操作を行う。
【０１２９】
なお、制御部１０５が１か月ごとにお知らせ画像３００を生成して出力すると説明をしたが、お知らせ画像３００を表示する期間は、特に限定されない。お知らせ画像３００を表示する期間は、２か月ごとでもよいし、３カ月ごとでもよい。また、制御部１０５は、時間帯別の分析結果の表示及びおすすめの録画モードの表示と、ジャンル別の分析結果の表示及びおすすめの録画モードの表示と同じタイミングで生成して出力してもよい。
【０１３０】
［２−３．効果等］
以上のように、本実施の形態において、制御部１０５は、統計分析として、所定期間において再生部１０４によって再生された番組のジャンルごとの再生時間の分布であるジャンル別再生パターンを算出する。
【０１３１】
これにより、操作者は、再生された番組のジャンルごとの再生パターンを確認することが可能となる。そのため、操作者は、操作者自身の再生パターンにあわせて録画する番組を絞り込んだ録画モードに容易に変更することが可能となる。
【０１３２】
また、本実施の形態において、制御部１０５は、算出したジャンル別再生パターンに基づいて、再生されたジャンルのうち、再生時間の少ないジャンルについて録画時の画質を下げることで、記憶部１０１に格納できる番組についての録画総日数を増やす録画モードを決定し、決定した録画モードを示すおすすめ画像を生成して出力し、出力したおすすめ画像に対して操作者から選択する指示を取得した場合に、当該おすすめ画像が示す録画モードで録画部１０３が動作するように録画部１０３を制御する。
【０１３３】
これにより、操作者は、操作者自身の好みに合った録画モードを選択するだけで、録画モードを容易に変更することが可能となる。
【０１３４】
また、本実施の形態において、制御部１０５は、再生時間の少ないジャンルが複数ある場合には、ジャンルに含まれる番組の放送頻度及び画質の少なくとも一つに基づいて予め定められたジャンルごとの優先度に従って、画質を下げるジャンルを決定する。
【０１３５】
これにより、制御部１０５は、操作者の再生パターンにあった録画モードを操作者へ提案することが可能となる。
【０１３６】
また、本実施の形態において、優先度は、ジャンルに含まれる番組の放送頻度が高いほど、画質を下げるジャンルとして決定する優先度が高くなるように、設定されている。
【０１３７】
これにより、操作者は、録画総日数を増やすような録画モードに容易に変更することが可能となる。
【０１３８】
また、本実施の形態において、優先度は、ジャンルに含まれる番組の画質劣化の目立ちやすさが低いほど、画質を下げるジャンルとして決定する優先度が高くなるように、設定されている。
【０１３９】
これにより、制御部１０５は、予め設定された画質を下げた時の画像劣化が目立ちにくいジャンルの画質を、優先して下げることが可能となる。
【０１４０】
（他の実施の形態）
以上のように、本出願において開示する技術の例示として、実施の形態１及び実施の形態２を説明した。しかしながら、本開示における技術は、これに限定されず、適宜、変更、置き換え、付加、省略などを行った実施の形態にも適用可能である。また、上記実施の形態１及び実施の形態２で説明した各構成要素を組み合わせて、新たな実施の形態とすることも可能である。
【０１４１】
そこで、以下、他の実施の形態を例示する。
【０１４２】
上記実施の形態１及び実施の形態２の番組録画再生方法は、コンピュータによって実行されるプログラムによって実現され得る。そのプログラムは、コンピュータ読み取り可能なＣＤ−ＲＯＭ等の記録媒体に記録されてもよいし、インターネット等の通信路で配信されてもよい。
【０１４３】
また、上記実施の形態１及び実施の形態２では、番組録画再生装置１００の制御部１０５は、プロセッサがプログラムを実行することによってソフトウェア的に実現されたが、このような実現方法に限られず、ゲートアレイ等を用いた専用の電子回路によってハードウェア的に実現されてもよい。
【０１４４】
また、実施の形態１及び実施の形態２では、制御部１０５は、再生部１０４によって再生された番組について統計分析を行い、統計分析の結果を示す画像を生成して出力すると説明した。統計分析で使用する再生番組数は、番組録画再生装置１００で再生された番組に特に限定されない。再生番組数は、操作者が記憶部１０１から別の機器に番組を移動又はコピーし、当該機器で再生された番組も含まれてよい。また、当該機器とネットワークで接続された再生機器、例えば、スマートフォンなどでネットワーク経由で再生された番組も含まれてもよい。また、当該機器とネットワークで接続された録画機器で録画された番組を、当該機器でネットワーク経由で再生された番組も含まれてもよい。こうすることで、統計分析に用いられる再生番組数が増えるので、制御部１０５は、より精度良く統計分析が可能となる。また、操作者は、再生部１０４が操作者によって番組が再生された、と判断するために、条件を設定してもよい。条件は、例えば、操作者が記憶部１０１から別の機器に番組を移動又はコピーした時としてもよい。
【０１４５】
また、実施の形態１及び実施の形態２では、番組録画再生装置１００は、表示装置２００と通信ケーブルを介して接続されると説明した。接続手段は、番組録画再生装置１００の情報を表示装置２００へ送信できればよい。したがって、接続手段は、通信ケーブルに特に限定されない。接続手段の一例として、無線通信手段を利用してもよい。
【０１４６】
また、実施の形態１及び実施の形態２では、曜日ごとの設定及びチャネルごとの設定において言及していないが、特に限定されず、曜日ごと及び／又はチャネルごとに録画設定を変更できるようにしてもよい。
【０１４７】
また、実施の形態１及び実施の形態２では、番組録画再生装置１００がケーブルを介して接続されるアンテナ１０８から番組を受信して録画すると説明したが、分析される番組は、地上波放送で取得される番組に特に限定されない。番組録画再生装置１００がさらにインターネットと接続可能な受信部を備えてもよく、分析される番組は、インターネットの放送番組や、ケーブルテレビの番組でもよい。
【０１４８】
以上のように、本開示における技術の例示として、実施の形態を説明した。そのために、添付図面および詳細な説明を提供した。
【０１４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５０】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５１】
本開示は、全自動録画機能を有し、操作者の再生パターンに応じて全自動録画機能の対象となる番組を絞り込むことを支援する番組録画再生装置に適用可能である。具体的には、テレビレコーダなどに、本開示は適用可能である。
【符号の説明】
【０１５２】
１００  番組録画再生装置
１０１  記憶部
１０２  チューナ
１０３  録画部
１０４  再生部
１０５  制御部
１０６、２０１  通信インターフェース
１０７  操作部
１０８  アンテナ
２００  表示装置
２０２  表示部
３００  お知らせ画像
３０１  おすすめ表示画像
３０２  おすすめ非表示画像
３０３  終了画像
４００  時間帯別おすすめ画像
４０１、７０１  分析結果画像
４０２、７０２  現在の録画モード画像
４０３ａ、４０３ｂ、７０３  おすすめ録画モード画像
４０４、７０４  お好み録画モード画像
５００  タイミング確認画像
５０１ａ、５０１ｂ  タイミング選択画像
６００  詳細設定画像
６０１  時間帯設定画像
６０２  画質設定画像
６０３  設定終了画像
７００  ジャンル別おすすめ画像
【図１】
0006624452.tif 000002
【図２】
0006624452.tif 000003
【図３】
0006624452.tif 000004
【図４】
0006624452.tif 000005
【図５】
0006624452.tif 000006
【図６】
0006624452.tif 000007
【図７】
0006624452.tif 000008
【図８】
0006624452.tif 000009
【図９】
0006624452.tif 000010
【図１０】
0006624452.tif 000011
【図１１】
0006624452.tif 000012
【図１２】
0006624452.tif 000013
【図１３】
0006624452.tif 000014
【図１４】
0006624452.tif 000015
【図１５】
0006624452.tif 000016
【図１６】
0006624452.tif 000017